(57)【要約】      （修正有）【課題】線香を確実且つ完全に燃焼せしめるの燃焼器を提供する。【解決手段】直径略０．３５ｍｍのバネ線を、その直径の略４倍の間隔を相互に保ってコイル状に巻いて筒３とし、その筒の内径と線香１２の外径とのなす比を略３：２に定めた隙間を該筒の内側に設け、筒の上部には略ラッパ形でその高さを筒の高さの略０．１４倍とした案内部４を設け、更にその最上部の環の内径を筒の内径の略２倍と定め、案内部４のバネ線相互の間隔をバネ線の直径の略０．６倍とし、又、案内部の下端のバネ線の間隔は、なだらかに筒におけるバネ線の間隔に移行するように形成し筒の最下端のバネ線は支持棒５に向けて略半月形に曲げて該支持棒の側面と線香燃焼器１Ａの中心腺１４との距離が筒の直径の略１．４倍となるように保ってバネ線の最上端と最下端を支持棒に取り付ける。【選択図】図１
2011056207.tif 000002
【特許請求の範囲】
【請求項１】
直径略０．３５ｍｍのバネ線２を、その直径の略４倍の間隔を相互に保ってコイル状に巻いて筒３Ａとし、その筒の内径と線香１２の外径とのなす比を略３：２に定めた隙間を該筒の内側に設け、筒の上部には略ラッパ形でその高さを筒の高さの略０．１４倍とした案内部４を設け、更にその最上部の環の内径を筒の内径の略２倍と定め、案内部４のバネ線相互の間隔をバネ線の直径の略０．６倍とし、又、案内部の下端のバネ線の間隔は、なだらかに筒におけるバネ線の間隔に移行するように形成し筒の最下端のバネ線は支持棒５に向けて略半月形に曲げて該支持棒の側面と線香燃焼器１Ａの中心腺１４との距離が筒の直径の略１．４倍となるように保ってバネ線の最上端と最下端を支持棒に取り付けて構成したことを特徴とする線香燃焼器１Ａ
【請求項２】
複数個の線香燃焼器１Ａの上端及び下端のバネ線２の先端を溝９に沿って折り曲げ上部固定用ビス６及び下部固定用ビス７によって支持棒５に固定し、該支持棒を台８に取りつけて成る支持台１６。
【請求項３】
請求項１記載の筒３Ａと同様な形に左巻きに巻いた筒３Ｂのバネ線の両端を略長方形の支持ケース１０の側面に該筒の直径の２分の１の間隔を保って筒を相互に隣接させて筒の中心腺１４と支持ケース１０の長辺とのなす内角を略５０度に定めて取り付け、更に線香１２を該支持ケースの長辺と平行に置いた際に線香の斜め左側に筒が交わる様に設け、筒の上の線香と筒の上部との接点を小とするように設けて成る線香燃焼器１Ｂ。
【発明の詳細な説明】
【技術分野】
【０００１】  本発明は、線香の燃焼を円滑に行わせるための器具に関する。
【背景技術】
【０００２】  従来の技術としては、略円筒形のコイルスプリングを使用したものがある。（特許文献１参照）
【先行技術文献】
【特許文献】
【０００３】
【特許文献１】  特開平８−１５４８０５  公報
【発明の概要】
【発明が解決しようとする課題】
【０００４】  以上に述べた線香の燃焼器具ではコイルスプリングなどの設置方法や線香を挿入した際の、線香の表面とコイルの内側との隙間等のあいまいさによって確実な燃焼を得られない面があったように思われる。【０００５】  本発明は、このような従来の構成が有していた問題を解決しようとするものであり、線香が中途で消火することなく確実に燃焼が行える器具を実現することを目的とするものである。
【課題を解決するための手段】
【０００６】  そして、本発明は上記目的を達成するために、直径略０．３５ｍｍのバネ線２をその直径の略４倍の間隔を相互に保ってコイル状に巻いて筒３Ａとし、その筒の内径と線香１２の外径とのなす比を略３：２に定めた隙間を該筒の内側に設け、筒の上部には略ラッパ形でその高さを筒の高さの略０．１４倍とした案内部を設け、更にその最上部の内径を筒の内径の略２倍と定め、案内部４のバネ線相互の間隔をバネ線の直径の略０．６倍とし、又、案内部下端のバネ線の間隔はなだらかに筒におけるバネ線の間隔に移行するように構成し、筒の最下部のバネ線は支持棒５に向けて略半月形に曲げて、該支持棒の側面と線香燃焼器１Ａの中心線１４との距離が筒の直径の略１．４倍となるように保って、バネ線の最上端と最下端を支持棒に取り付けて設けたものである。【０００７】  また、第２の問題解決手段は複数個の線香燃焼器１Ａの上端及び下端のバネ線２の先端を溝９に沿って折り曲げ、上部固定用ビス６及び下部固定用ビス７によって支持棒５に取り付け、支持棒５を台８に取り付けて支持台１６としたものである。【０００８】  更に、第３の解決手段は請求項１記載の筒３Ａと同様な形に左巻きに巻いた筒３Ｂのバネ線の両端を略長方形の支持ケース１０の側面に該筒の直径の２分の１の間隔を保って筒を相互に隣接させて筒の中心線と支持ケース１０の長辺とのなす内角を略５０度に定めて取り付け、更に線香１２を該支持ケースの長辺と平行に置いた際に線香の斜め左側に筒が交わる様に設け、筒の上の線香と筒の上部との接点を小とするように設けたものである。
【発明の効果】
【０００９】  上述したように本発明の線香燃焼器は、まずバネ線の直径、バネ線相互の間隔及び線香の表面と筒の内側との隙間が適宜に作られているので、案内部から滑らかに挿入された線香が燃焼部分からの熱放射によりバネ線に熱伝達、伝導がなされ適切な温度上昇が生じ、燃焼進路に或いは後方の既燃焼部分には灰の存在もあいまって、前後に周方向に、また左右にも燃焼を助長する作用が働き、燃焼を損なわずに火の消えることもなく完全に燃焼させることが可能となる。更に筒内部に残された灰は次に線香を挿入することによって容易にバネの隙間から除去される。【００１０】  更に、線香燃焼器Ａは既存の線香立ての中に収納して使用しても良く、複数個組み合わせて大型の燃焼器とすることもできる。【００１１】  又、線香燃焼器Ｂに関しては一時に相当量の線香を焚くこともでき、すべて灰となるので周囲を清潔に保つことができる。
【図面の簡単な説明】
【００１２】
【図１】本発明の実施形態を示す線香燃焼器Ａの立体図
【図２】同線香燃焼器Ａの縦断図
【図３】図２におけるＡ−Ａ線の断面図
【図４】図２におけるＢ−Ｂ線の断面図
【図５】同線香燃焼器Ｂの立体図
【図６】図５におけるＣ−Ｃ線の断面図
【発明を実施するための形態】
【００１３】  以下、本発明の実施の形態を図１〜図５に基づいて説明する。
【００１４】  図１においては複数個の線香燃焼器Ａの取り付けられた支持棒５は下部固定用ビス７によって台板８に固定されている。
【００１５】  図２においては、線香燃焼器Ａのバネ線２の両端が溝９に固定用ビス６、７によって支持棒５に取り付けられ、線香燃焼器Ａと支持棒５の間に適切な間隔が保たれている。
【００１６】  図３においては、バネ線２が溝９に嵌め込まれて上部固定用ビス６によって固定されている。
【００１７】  図４においては、筒３Ａの下端のバネ線２は略半月形に曲げられて、その先端が溝９に嵌め込まれて下部固定用ビスによって固定されている。
【００１８】  図５においては、線香燃焼器１Ｂの側面に所定の角度を保って筒３Ｂが支持ケース１０に取り付けられ、支持ケース１０の長手方向に平行に置かれた線香の状態が示されている。
【００１９】  図６においては、筒３Ｂ及び架台１１の支持ケース１０への取り付け状況、及び筒３Ｂの上部に置かれた線香１２の状態を示す。
【符号の説明】
【００２０】１Ａ  線香燃焼器Ａ
１Ｂ  線香燃焼器Ｂ
２  バネ線
３Ａ  筒Ａ
３Ｂ  筒Ｂ
４  案内部
５  支持棒
６  上部固定用ビス
７  下部固定用ビス
８  台板
９  溝
１０  支持ケース
１１  架台
１２  線香
１３  取り付けビス
１４  筒３Ａの中心線
１５  筒３Ｂの中心線
１６  支持台
【図１】
2011056207.tif 000003
【図２】
2011056207.tif 000004
【図３】
2011056207.tif 000005
【図４】
2011056207.tif 000006
【図５】
2011056207.tif 000007
【図６】
2011056207.tif 000008
【手続補正書】
【提出日】平成22年2月25日(2010.2.25)
【手続補正１】
【補正対象書類名】明細書
【補正対象項目名】全文
【補正方法】変更
【補正の内容】
【発明の詳細な説明】
【技術分野】
【０００１】  本発明は、線香の燃焼を円滑に行わせるための器具に関する。
【背景技術】
【０００２】  従来の技術としては、略円筒形のコイルスプリングを使用したものがある。（特許文献１参照）
【先行技術文献】
【特許文献】
【０００３】
【特許文献１】  特開平８−１５４８０５  公報
【発明の概要】
【発明が解決しようとする課題】
【０００４】  以上に述べた線香の燃焼器具ではコイルスプリングなどの設置方法や線香を挿入した際の、線香の表面とコイルの内側との隙間等のあいまいさによって確実な燃焼を得られない面があったように思われる。【０００５】  本発明は、このような従来の構成が有していた問題を解決しようとするものであり、線香が中途で消火することなく確実に燃焼が行える器具を実現することを目的とするものである。
【課題を解決するための手段】
【０００６】  そして、本発明は上記目的を達成するために、直径略０．３５ｍｍのバネ線２をその直径の略４倍の間隔を相互に保ってコイル状に巻いて筒３とし、その筒の内径と線香１２の外径とのなす比を略３：２に定めた隙間を該筒の内側に設け、筒の上部には略ラッパ形でその高さを筒の高さの略０．１４倍とした案内部を設け、更にその最上部の内径を筒の内径の略２倍と定め、案内部４のバネ線相互の間隔をバネ線の直径の略０．６倍とし、又、案内部下端のバネ線の間隔はなだらかに筒におけるバネ線の間隔に移行するように構成し、筒の最下部のバネ線は支持棒５に向けて略半月形に曲げて、該支持棒の側面と線香燃焼器１の中心線１４との距離が筒の直径の略１．４倍となるように保って、バネ線の最上端と最下端を支持棒に取り付けて設けたものである。
【発明の効果】
【０００７】  上述したように本発明の線香燃焼器は、まずバネ線の直径、バネ線相互の間隔及び線香の表面と筒の内側との隙間が適宜に作られているので、案内部から滑らかに挿入された線香が燃焼部分からの熱放射によりバネ線に熱伝達、伝導がなされ適切な温度上昇が生じ、燃焼進路に或いは後方の既燃焼部分には灰の存在もあいまって、前後に周方向に、また左右にも燃焼を助長する作用が働き、燃焼を損なわずに火の消えることもなく完全に燃焼させることが可能となる。更に筒内部に残された灰は次に線香を挿入することによって容易にバネの隙間から除去される。【０００８】  更に、線香燃焼器は既存の線香立ての中に収納して使用しても良く、複数個組み合わせて大型の燃焼器とすることもできる。
【図面の簡単な説明】
【０００９】
【図１】本発明の実施形態を示す線香燃焼器の立体図
【図２】同線香燃焼器の縦断図
【図３】図２におけるＡ−Ａ線の断面図
【図４】図２におけるＢ−Ｂ線の断面図
【発明を実施するための形態】
【００１０】  以下、本発明の実施の形態を図１〜図４に基づいて説明する。
【００１１】  図１においては複数個の線香燃焼器の取り付けられた支持棒５は下部固定用ビス７によって台板８に固定されている。
【００１２】  図２においては、線香燃焼器のバネ線２の両端が溝９に固定用ビス６、７によって支持棒５に取り付けられ、線香燃焼器と支持棒５の間に適切な間隔が保たれている。
【００１３】  図３においては、バネ線２が溝９に嵌め込まれて上部固定用ビス６によって固定されている。
【００１４】  図４においては、筒３の下端のバネ線２は略半月形に曲げられて、その先端が溝９に嵌め込まれて下部固定用ビスによって固定されている。
【符号の説明】
【００１５】  １  線香燃焼器
２  バネ線
３  筒
４  案内部
５  支持棒
６  上部固定用ビス
７  下部固定用ビス
８  台板
９  溝
１２  線香
１４  筒３の中心線
１６  支持台
【手続補正２】
【補正対象書類名】特許請求の範囲
【補正対象項目名】全文
【補正方法】変更
【補正の内容】
【特許請求の範囲】
【請求項１】
直径略０．３５ｍｍのバネ線２を、その直径の略４倍の間隔を相互に保ってコイル状に巻いて筒３とし、その筒の内径と線香１２の外径とのなす比を略３：２に定めた隙間を該筒の内側に設け、筒の上部には略ラッパ形でその高さを筒の高さの略０．１４倍とした案内部４を設け、更にその最上部の環の内径を筒の内径の略２倍と定め、案内部４のバネ線相互の間隔をバネ線の直径の略０．６倍とし、又、案内部の下端のバネ線の間隔は、なだらかに筒におけるバネ線の間隔に移行するように形成し筒の最下端のバネ線は支持棒５に向けて略半月形に曲げて該支持棒の側面と線香燃焼器１の中心線１４との距離が筒の直径の略１．４倍となるように保ってバネ線の最上端と最下端を支持棒に取り付けて構成したことを特徴とする線香燃焼器１。
【手続補正３】
【補正対象書類名】図面
【補正対象項目名】全図
【補正方法】変更
【補正の内容】
【図１】
2011056207.tif 000009
【図２】
2011056207.tif 000010
【図３】
2011056207.tif 000011
【図４】
2011056207.tif 000012